(57)【特許請求の範囲】
【請求項１】
カラーシフトフィルムと、
前記カラーシフトフィルムの後方に配置された標示層と、を含む物品であって、
前記標示層が、実質的に同一の色であると共に前記標示の前景および背景として配置された少なくとも第１および第２の着色部分を含み、前記第１の着色部分が第１の蛍光着色剤を含み、前記第２の着色部分が実質的に非蛍光性である物品。
【請求項２】
前記第１の蛍光着色剤が発光帯を有し、前記カラーシフトフィルムが第１の角度で前記発光帯の光の透過を実質的に阻止し、第２の角度で前記発光帯の光を実質的に透過する、請求項１に記載の物品。
【請求項３】
第１の角度で前記カラーシフトフィルムの前面から目視される場合、第１および第２の着色部分が実質的に同一の色を有する、請求項２に記載の物品。
【請求項４】
実質的に澄んだ媒体を介して目視される場合、第１および第２の着色部分が実質的に同一の色を有する、請求項１に記載の物品。
【請求項５】
少なくとも前記第１の着色部分が前記カラーシフトフィルム上に印刷される、請求項１に記載の物品。
【請求項６】
少なくとも前記第２の着色部分が前記カラーシフトフィルム上に印刷される、請求項１に記載の物品。
【請求項７】
前記第１の着色部分もまた、前記カラーシフトフィルム上に印刷され、前記第２の着色部分が前記第１の着色部分の上に延在するように実質的に連続して印刷される、請求項６に記載の物品。
【発明の詳細な説明】
【技術分野】
【０００１】
本発明は、一般に、外観が視角に極めて依存する情報を組み込んだフィルムと他の物品に関する。
【背景技術】
【０００２】
方向性のある像−ある視角では視認できるが、他の視角では視認できない像を組み込んだフィルムが一般的に知られている。米国特許第６，０２４，４５５号（Ｏ’Ｎｅｉｌｌら）は、例えば多層フィルムがパターン化された再帰反射性層を被覆している反射性物品を開示している。このパターン化された再帰反射性層は、従来のインキ、染料、またはある波長には実質的に不透明であるが、他の波長には透明である他の物質を含むパターン化された領域を有する標示層を含むことができる。しかしながら、このようなフィルムは、最適な視認に対して特殊な照明配置を必要とする。
【０００３】
中でも、ＰＣＴ公開ＷＯ９９／３６２５８号（Ｗｅｂｅｒら）は、印刷された標示、およびＵＶで吸収し、この色スペクトルの可視領域で蛍光を発する染料などの蛍光増白剤付きのカラーシフトフィルムを開示している。このような物品は、また、外観が視角と共に変化する像も提供することができ、特に、ここでは、印刷された標示が観察者に対してこのカラーシフトフィルムの裏側に設けられている。このような物品を通常のオフィス環境内などの通常の拡散した照明条件下で視認することができるのが有利である。
【発明の開示】
【発明が解決しようとする課題】
【０００４】
上述のようなカラーシフトフィルムと蛍光標示とを組み込んだ物品を綿密に点検すると、この蛍光標示を目視から満足に隠蔽することが困難であることが明らかになった。この蛍光標示の隠蔽性を改良した物品が本発明書で開示される。
【課題を解決するための手段】
【０００５】
開示された実施態様においては、この物品はカラーシフトフィルムとこの物品の通常の観察者の目視地点からこのカラーシフトフィルムの後方に配置された標示層を含む。この標示は、標示の前景と背景として配置された少なくとも第１および第２の着色部分を含む。この第１の着色部分は第１の蛍光着色剤を含み、第２の着色部分は実質的に非蛍光性である。標示の隠蔽性を高めるように、この第２の着色部分は、第１の着色部分と実質的に同一の色を有するように選択される。好ましくは、この第１および第２の着色部分は、カラーシフトフィルムから離してそれ自体として目視する場合同一の色を有し、カラーシフトフィルムが蛍光性着色剤の発光帯の透過率を実質的に阻止する角度でカラーシフトフィルムを通して目視する場合同一の見掛けの色も有する。このようにして、前景と背景の間のコントラストが実質的に低減され、このような視角で標示が目に付かなくなる。
【０００６】
図面においては、類似の参照番号は類似の要素を示す。
【発明を実施するための最良の形態】
【０００７】
図１においては、物品１０は、カラーシフトフィルム１２とフィルム１２の後方に配置され、少なくともある目視および／または照明配置でフィルム１２を通して目視できる標示１４（図２を参照）を含む。標示１４は、少なくとも第１の着色部分１６と第２の着色部分１８から構成されるか、あるいは規定される。図１および２に最もよく示されるように、部分１６、１８は相補的にパターン化されていて、この実施態様においては単一の文字「Ｗ」である標示１４を規定する。図１は、図１よりも若干小さな寸法で描いた、図２の軸１−１に沿った断面図におおよそ対応することを注目されたい。物品１０は、また、好ましくは従来の感圧接着剤（ＰＳＡ）を含むが、代替的に熱活性化型接着剤または他の好適な接着剤を含むことができる任意選択の接着剤層２０も含む。接着剤層２０は物品１０を任意選択の基材２２に固定する。所望ならば、基材２２は物品１０の一部を形成することができる。物品１０の使用の意図によって、基材２２はそれ自体、文書、紙のシート、剛性あるいは可撓性の標識バッキング、または若干の照明を物品１０の背後から所望する場合には、剛性あるいは可撓性窓材料などの広範な種々の異なる物品を含むことができる。いかなる光でもカラーシフトフィルム１２と標示１４の組合わせを透過する程度に、このような光を基材２２により吸収、拡散反射または鏡面反射、あるいは透過することができる。
【０００８】
カラーシフトフィルム１２は、このような光がこのフィルム上に入射する角度の関数として異なる波長の光を透過する性質を有する。この透過特性は、また、法線方向入射でも偏光依存性であってもよい。この点で、フィルム１２は、偏光子、ミラー、または実質的な偏光特性を有するミラーとすることができる。好ましいフィルム１２は、このような単位セルの光学的厚さの２倍の波長で光を反射するのに有効である多数の単位セルとして配列された多数の交互性ポリマー層を有する。２つ以上のポリマーを同時押し出しして、交互配置された材料流を形成することにより、このようなフィルムを作製することができる。引き続いて、このキャスト同時押し出しフィルムを一軸あるいは二軸延伸により薄くし、配向させて、完成した反射偏光子またはミラーを形成することができる。好ましくは、このポリマーの少なくとも１つは、屈折率が延伸時に変化する歪み誘起複屈折能がある。２つ、３つ、あるいはそれ以上の個別のポリマー層を各々含むことができる単位セルは、また、通常、フィルム１２の厚さ方向に光学的厚さ勾配を有し、比較的広い分光帯（「反射帯」）がこのフィルムにより反射されるように配列される。この反射帯の境界は、本発明書においては、バンドエッジ−高反射率（低透過率）から低反射率（高透過率）へのスペクトルの遷移あるいはその逆と呼ばれる。このバンドエッジを鋭くするために単位セルの厚さプロフィールを自前で作製することも既知である。好適なカラーシフトフィルムのこれらのおよび他の局面は、米国特許第５，８８２，７７４号（Ｊｏｎｚａら）、同第６，０２４，４５５号（Ｏ’Ｎｅｉｌｌら）、および「カラーシフトフィルム（Ｃｏｌｏｒ  Ｓｈｉｆｔｉｎｇ  Ｆｉｌｍ）」と題する、１９９８年１月１３日に出願された米国特許出願第０９／００６，５９１号（Ｗｅｂｅｒら）の１つ以上に記載されている。２つ以上の個別の層および／または２つ以上の独特のポリマー材料を有する単位セルの説明には、米国特許第５，１０３，３３７号（Ｓｃｈｒｅｎｋら）（再発行米国特許第Ｒｅ．３４，６０５号として再発行された）および米国特許第５，３６０，６５９号（Ａｒｅｎｄｓら）も言及される。
【０００９】
従来の無機多層フィルム−例えば２つの無機誘電体材料を多数の層としてガラスまたは他の好適な基材上に順次真空堆積することにより、あるいは無機材料と有機ポリマーの交互性層を真空堆積することによりことにより作製される（例えば、米国特許第５，４４０，４４６号（Ｓｈａｗら）、同第５，８７７，８９５号（Ｓｈａｗら）、および同第６，０１０，７５１号（Ｓｈａｗら）を参照）−もカラーシフトフィルム１２として使用することができる。これらの交互性の多層フィルムに比較して、先行の段落で述べた好ましいポリマーフィルムは、フィルム内の隣接層の面外の屈折率（ｚ−インデックス）を制御することにより、実質的にすべての入射角度にわたって、光の偏光に無関係にバンドエッジの完全性を維持することが可能である追加の利点を有する。好ましくは、単位セル内の隣接ポリマー層のｚ軸に沿った屈折率差Δｎzは、このような隣接層間のフィルムの面の中の最大の屈折率差（すなわち、ΔｎxまたはΔｎy）未満、さらに好ましくはこのような最大の面内屈折率差の０．５あるいは０．２倍未満であり、好ましくは実質的にゼロとすることもできる。これらの条件は、反射帯が入射角度の変化と共に波長または色をシフトする場合でも、バンドエッジの形状の維持を助け、これが広範囲の入射角度にわたる高色飽和に肉眼的に対応する。好適なフィルムは、３Ｍ社（Ｓｔ．Ｐａｕｌ，Ｍｉｎｎｅｓｏｔａ，ＵＳＡ）から３Ｍ（登録商標）Ｒａｄｉａｎｔ  Ｒａｄｉａｎｔ  Ｆｉｌｍの商品名で入手できる。
【００１０】
層が配向されず、屈折率で実質的に等方性である同時押し出しされたポリマーフィルムもカラーシフトフィルムに使用することができる。このようなフィルムは、例えば、米国特許第３，８０１，４２９号（Ｓｃｈｒｅｎｋら）、同第４，１６２，３４３号（Ｗｉｌｃｏｘら）、および同第４，３１０，５８４号（Ｃｏｏｐｅｒら）に記載されている。
【００１１】
第１の着色部分１６はパターン化されて、文字「Ｗ」の前景を形成し、カラーシフトフィルム１２の後方に配置される。他の文字、記号、または情報を伝える形状も考えられる。重要なことには、部分１６は蛍光着色剤を含む。用語「着色剤」は、本発明書において使用される通り、顔料、染料、または物品に色相または彩度を付与するのに使用される他の物質または物質の組合わせのいかなるものも意味する。用語「蛍光」は、異なる（通常、短い）波長（または波長帯）での光の吸収の結果として、１つの波長（または波長帯）で光を発する性質を指す。発せられる蛍光の波長範囲は発光帯と呼ばれ；吸収される光の波長範囲は励起帯と呼ばれる。蛍光着色剤とカラーシフトフィルムの適切な選択により、ある角度でこの発光帯の光をカラーシフトフィルムを通して実質的に透過させることができるが、他の角度では発光帯の光は他の角度でカラーシフトフィルムにより実質的に反射される（それゆえ、観察者の目に達するのを阻止する）。さらにあるいは代替として、極めて方向性の高い光源を使用する場合には、ある角度では励起帯の光を蛍光着色剤に達するのを阻止することができるが、他の角度ではこの蛍光着色剤まで透過させることができる。図１に示す矢印２４、２６は、それぞれ、法線方向入射の視角と斜めの視角を表わす。これらの角度の１つでは、カラーシフトフィルム１２は第１の着色部分１６の蛍光発光を透過して、明るい「Ｗ」を生じる（図２）。他の角度では、カラーシフトフィルム１２は発光帯の光を実質的に阻止して、「Ｗ」は比較的暗くなる（図３）。
【００１２】
前述の説明は、着色部分１６中の蛍光着色剤が励起帯の光の吸収により励起を受けることが可能であることを仮定している。意図される用途によってこのような励起を多数の方法で行うことができる。
【００１３】
ある用途においては、物品１０の後方からは顕著な量の光は発生しない。これらの場合には、励起光はカラーシフトフィルム１２を通過し、その後第１の着色部分１６に達する。あるカラーシフトフィルム１２は、ある入射方向および／またはある偏光に対してのみこの励起光を有効に透過することができる。この物品に呼び掛けを行うために、励起光のこのような選択的な透過を特殊なで使用することができる：適切な角度および／または偏光特性を有する１つの光のビームをこれらの特性を有しない別の光のビームと交互させ、可視の応答（好適な観察角度での蛍光発光またはそれの欠如）をモニターする。あるいは、この用途は、物品１０を実質的にすべての角度と偏光から前面に入射する光−通常のオフィス環境で見出されるようなもの−に暴露させるものであってもよく、適切な角度および／または偏光特性を有する充分な量の励起帯の光が存在して、部分１６で蛍光を生じるものであってもよい。他のカラーシフトフィルム１２は、実質的にすべてのあるいは少なくとも広範囲の入射角度および／または偏光に対して励起光を有効に透過することができる。これらのフィルムに対しては、比較的大量の外周光がカラーシフトフィルムを通過して、さらに明るい蛍光発光を生じる。
【００１４】
ある用途においては、バックライトまたは他のランプなどの光源を物品１０の後方で使用する。これらの場合には、部分１６の後方に配置されるいかなる材料または要素を単純に選択して、部分１６中に所望の蛍光効果を生じるのに充分な励起帯の光に対して集合した透過を持たせる。
【００１５】
物品１０はまた、カラーシフトフィルム１２の後方に配置された第２の着色部分１８も含む図１に示すように、部分１８を部分１６に相補的にパターン化することができる。あるいは、製造を簡単にするために、部分１６、１８の一方のみをパターン化し、他方の部分を非パターン化とすることができる。その場合には、非パターン化部分を例えば連続層で印刷して、ある場所ではパターン化部分を被覆し、他の場所ではパターン化部分の間に延在させることができる。別の製造のアプローチにおいては、このパターン化部分をカラーシフトフィルム１２に積層するか、あるいはそうでなければカラーシフトフィルムの後方に置いた連続した非パターン化部分と得られた組合わせの上面に印刷することができる。さらに別のアプローチにおいては、パターン化部分をカラーシフトフィルムの裏側に印刷することができ、非パターン化部分をその組合わせの後方に単に配置することができる。限定ではないがフレキソ印刷法を含む従来の被覆方法を使用して、着色部分をフィルム１２に塗布することができる。
【００１６】
この物品が非パターン化接着剤層２０を含む場合には、蛍光着色剤および／または非蛍光着色剤を適切として含ませることにより、このような層を第１あるいは第２の着色部分１６、１８を置き換えることができる。
【００１７】
図１および２に示すように、部分１８は標示に対する背景を形成する。重要なことには、部分１８は実質的に非蛍光性である。すなわち、特定の用途に対して予期された光レベルに暴露した場合、部分１８は、普通の観察者に目に付くような蛍光発光を生じない。さらには、部分１８内の顔料、染料、インキ、または他の着色剤は、着色部分１６の色と実質的に同一である知覚される色を生じるように選択される。このような選択は、ある視角での標示の前景と背景の間のコントラストの低減を助け、着色部分１８を有しないか、あるいは白色表面または異なる色の表面上に印刷された蛍光標示を有する構成物に比較して、このような角度で標示の隠蔽を助ける（図３を参照）。
【００１８】
好ましくは、カラーシフトフィルム１２の前面から目視した場合、部分１６、１８の色は、カラーシフトフィルム１２が観察者の目への蛍光発光の到達を阻止する角度で実質的に同一である。これらの条件下では、部分１６は、明るい蛍光発光が目視できる視角に比較して比較的暗く見える。非蛍光着色剤も部分１６中に存在する程度に、これらは述べた条件下で外観または色に寄与することもある。
【００１９】
部分１６、１８の両方をカラーシフトフィルム１２の後方に配置する場合、澄んだ透明な媒体（このような色は「固有色」と呼ばれる）を通して目視する時、例えば、カラーシフトフィルム１２の後方から目視する時、あるいはカラーシフトフィルム１２の代わりとなる澄んだフィルムを通して目視する時、あるいはこの部分を異なる基材上で並べて被覆した後で上方から目視した時には、実質的に同一（これらの相対的な輝度は実質的に異なることもあるけれども）である部分１６、１８に対して色を選択することが好ましい。例えば、両方の部分は本質的に橙色であることができ、部分１６は橙色の蛍光着色剤を含むことができる。別の例として、両方の部分は本質的に緑色であることができ、部分１６は緑色の蛍光着色剤を含むことができる。この部分をこの方法で着色する場合には、これらの外観もカラーシフトフィルムが蛍光発光を阻止する角度でカラーシフトフィルムから目視すると、極めて類似していて、このような角度でこの標示の隠蔽を助ける。
【００２０】
所望ならば、前景と背景の役割を逆転することができ：部分１６が背景を形成することができ、部分１８は標示の前景を形成することができる。蛍光着色剤は非蛍光着色剤よりも高価である傾向があるので、部分１８よりも少ない量の部分１６を使用することが望ましい。多くの場合、特定の標示の前景は背景よりも少ない面積を占める。このように、多くの場合、部分１６を標示の前景として使用することが好ましい。
【００２１】
部分１６は、明るく着色した蛍光顔料を含んでも、多くの場合カラーシフトフィルム１２が蛍光発光を実質的に阻止する観察角度、またはカラーシフトフィルムが方向性光源からの励起帯の光を実質的に阻止する場合などの配置で相対的に暗く見える。このような場合、例えば緑色、橙色、または赤色である部分１６の固有の色と実質的に異なる、暗褐色または黒色などの固有の色を有するように部分１８を設計してもよい。さらに、部分１６、１８は、言及したある配置でカラーシフトフィルム１２の前面から目視した場合、類似の見掛けの色をなお有することができ、このようにこの標示の隠蔽を助ける。実際に、部分１８をフィルム１２の背面または前面のいずれかに配置してもよい。各々の場合、標示１４は、構成部分の少なくとも１つがフィルム１２の後方にあるのでフィルム１２の後方にあるとなお考えられる。
【００２２】
図４および５は、特定の実施態様に対して第１および第２の着色部分、ならびにこのカラーシフトフィルムの分光特性を図示する理想化され、簡略化された複合グラフである。図示したすべての曲線に対して、ｘ軸は光の波長λをナノメータ（ｎｍ）で表わし、可視領域はほぼ４００から７００ｎｍに及ぶ。曲線５０（図４）は、カラーシフトフィルム１２の法線方向入射での分光透過率を表わし、曲線５０’（図５）は斜めの入射角度での透過率を表わす。これらの曲線は光の特定の偏光、またはその代わりに偏光全体の平均に対するものでもよい。これらの曲線に対しては、ｙ軸は０％から１００％までのパーセント透過率を表わす。カラーシフトフィルム１２が上述の好ましいポリマー多層フィルムを含む場合には、フィルム中での吸収は問題の大部分の波長に対して通常１％よりもはるかに小さいので、特定の波長での鏡面反射率は、実質的に１００％マイナスパーセント透過率である。曲線５２および５４は、いかなるカラーシフトフィルムも存在せずにそれ自体で測定された着色部分１６、１８の有効反射率（反射率プラス蛍光強度）を表わす。曲線５２、５４に対しては、ｙ軸は任意単位での有効反射率を表わす。ある波長で蛍光着色剤を有する部分１６がもう一方の部分１８よりも明るい限り、曲線５２、５４は相互にほぼ一定の比例の寸法によるものである。しかしながら、この曲線の相対的な高さは、厳密であることを意図したものでなく、すべての曲線は説明を容易にするために理想化されている。
【００２３】
法線方向の入射（図４）では、カラーシフトフィルム１２は図示するようにバンドエッジ５０ａ、５０ｂを境界とした反射帯中で低透過率を有する。反射帯の外側では、このフィルムは高透過率を有する。この配置では、フィルム１２は、曲線５２、５４の片側近くを除いて着色部分１６、１８に関連する光を実質的に阻止する。透過される少量の光は類似の見掛けの色および強度を有し、この結果は図３に図示するように低コントラストの外観である。
【００２４】
高入射角度（図５）では、５０ａ’と５０ｂ’と符号を付けた反射帯と関連するバンドエッジは、短波長にシフトしている−それゆえ、透過光における付随するシフトを記述するための用語カラーシフトフィルムを使用する。この配置では、着色部分１６、１８の両方からの光はフィルム１２により実質的に透過される。しかしながら、部分１６中の蛍光着色剤の高輝度は部分１８からのいかなる反射も圧倒し、これは比較において暗く見える。この結果は図２に図示するように高コントラストの外観である。
【００２５】
図６は、図４に類似した法線方向入射に対するものであるが、異なる第１および第２の着色部分１６、１８と異なるカラーシフトフィルム１２を有する異なる実施態様に対する理想化され、簡略化された複合グラフである。曲線６０は法線方向入射でのカラーシフトフィルム１２の分光透過率を表わす。曲線６０はバンドエッジ６０ａを含む。曲線６２、６４はそれぞれ着色部分１６、１８の有効反射率（上述のような）を表わす。曲線６２、６４の全体の分光分布は類似の色を表わす。さらには、法線方向入射では、フィルム１２は、曲線６２、６４の片側近くを除いて着色部分１６、１８に関連する光を実質的に阻止する。透過される少量の光は類似の見掛けの色および強度を有し、この結果は図３に図示するように低コントラストの外観である。
【００２６】
斜めの角度の観察に対しては、バンドエッジ６０ａを含む曲線６０は、観察角度により決められる量だけ短波長にシフトした類似の曲線（図示せず）により置き換えられる。少なくともある角度では、このシフトした透過率曲線は、曲線６２、６４からの光を実質的に透過して、図２に図示するように、明るい前景着色部分１６と共に高コントラストの外観を生じる。
【００２７】
図７は図６に類似した法線方向の入射に関する、理想化され簡略化された複合グラフであるが、これは異なる第１および第２の着色部分１６、１８と、異なるカラーシフトフィルム１２と、を有するさらに別の実施態様に関するグラフである。曲線７０は法線方向入射でのカラーシフトフィルム１２の分光透過率を表わす。曲線７０はバンドエッジ７０ａを含む。曲線７２、７４は着色部分１６、１８それぞれの有効反射率（上述のような）を表わす。曲線７２、７４の全体の分光分布は類似の色を表わす。この実施態様においては、法線方向入射ではフィルム１２は、曲線７２、７４からの光を実質的に透過して、図２に図示するように、明るい前景着色部分１６と共に高コントラストの外観を生じる。実際に、法線方向入射でフィルム１２は、可視スペクトルにわたって高透過率を有するために実質的に透明なフィルムの外観を有する。
【００２８】
斜めの角度の観察に対しては、バンドエッジ７０ａを含む曲線７０は、観察角度により決められる量だけ短波長にシフトした類似の曲線（図示せず）により置き換えられる。少なくともある角度では、このシフトした透過率曲線は、曲線７２、７４の一方近くを除いて着色部分１６、１８に関連する光を実質的に阻止する。透過される少量の光は類似の見掛けの色および強度を有し、この結果は図３に図示するように低コントラスト外観である。
【００２９】
一般に、好適な物品１０は追加の層と形状構成を含むことができる。例えば、カラーシフトフィルム１２は、熱および／または圧力によりエンボスを加えた１つ以上の領域を含むことができる。このエンボス領域は非エンボス隣接領域よりも薄く、それゆえ分光透過率とこの非エンボス領域の対応する形状構成に対して青カラーシフトされた反射形状構成を有する。このエンボス領域は、上述のように標示１４に加えて標示の形をとることができる。別の例として、カラーシフトフィルム１２は、従来のホログラフィ像を生じるのに好適な微小構造付きのレリーフパターンを含むか、あるいは搭載することができる。このような像を使用して、選ばれた配置で標示１４を不明瞭にすることができる。カラーシフトフィルムの上面の好適なスキン層または被膜の中に既知のホログラフィエンボス技術を用いて、レリーフパターンを形成することができる。あるいは、カラーシフトフィルムにラミネートされた別の透明シートの中にレリーフパターンを組み込むことができる。一般に、米国特許第５，６５６，３６０号（Ｆａｙｋｉｓｈら）が言及される。このような別の透明シートは、製造が容易であり、動作温度範囲にわたって物品が完全であるために、好ましくはポリマー性である。さらに別の例として、カラーシフトフィルム１２またはフィルム１２に積層された追加の層上に従来の方法で印刷することにより、上述の標示１４に加えて追加のグラフィック、記号、または他の標示を物品１０に付けることができる。
【実施例】
【００３０】
次の構成要素材料を用いて代表的な物品を構築した：カラーシフトフィルム１２用に３Ｍ（商標）Ｒａｄｉａｎｔ  Ｃｏｌｏｒ  Ｆｉｌｍ  ＣＭ５９０；着色部分１６用にセイコー（商標）蛍光橙色染料（染料Ｎｏ．５０３，日本製）；および着色部分１８用に従来の非蛍光橙色／赤色染料（橙色インキ、マレーシア製、ＢＡＳＦから入手可能）。（ａ）接着剤層２０を使用しなかったこと、および（ｂ）部分１６が背景を形成し、部分１８が「Ｗ」の前景を形成したことを除いて、この異なる染料をカラーシフトフィルムの片側（「背面」側と指定）に相補的に手で塗布して、図１および２に実質的に図示するように単一の文字「Ｗ」の前景と背景を形成した。次に、この染料を乾燥させた。この得られた被覆フィルムは可撓性であり、フィルム１２それ自体に対しては約１．８ミル（４５μｍ）；前景領域中のフィルムプラス染料に対しては平均で約２．０ミル（約５０μｍ）；および背景領域中のフィルムプラス染料に対しては平均で約２．４ミル（約６０μｍ）の全体の厚さを有していた。標準のオフィス照明備品で目視した場合、この乾燥された染料の厚さはこれらを実質的に不透明にせしめるのに充分であった。
【００３１】
この物品を通常のオフィス照明の下で白色の紙上に裏側を下にして置いた。法線方向入射で前方から見る場合、蛍光を検出することはできなかった。代わりに、見える色はカラーシフトフィルムそれ自体の反射色とカラーシフトフィルムにより透過され、フィルムを通って着色部分１６、１８により戻り反射される光の色の混色であった。この蛍光染料と非蛍光染料は実質的に類似のベース色を有するので、前景文字「Ｗ」とこの背景の間に若干のコントラストが見られるのみである。
【００３２】
高い斜めの観察角度（法線方向から約６０度以上）では、フィルム１２の反射帯は充分にシフトして、背景（着色部分１６）が極めて明るい橙色に見えるようになる。これらの条件下で、前景（着色部分１８）は、蛍光の背景に比較して比較的暗い状態のままであった。
【００３３】
Ｐｅｒｋｉｎ  Ｅｌｍｅｒ  Ｌａｍｂｄａ  １９  ＲＳＡ−ＰＥ１９Ｓ分光計を用いて、ＣＭ５９０フィルムの予備（非被覆の）片の透過率を測定した。図８は波長に対する測定されたパーセント透過率をプロットしたものである。曲線８０をこのフィルムに法線方向入射で非偏光の光により測定した。曲線８２は、法線方向から６０度の角度に対するｐ偏光の光とｓ偏光の光（すなわち、それぞれ、入射面で直線偏光した光と入射面に垂直な光）の平均である。反射帯の波長シフトと鋭いバンドエッジの良好な維持を注目されたい。図９は、この橙色蛍光染料に対してＰｅｒｋｉｎ  Ｅｌｍｅｒ  Ｍｏｄｅｌ  ＬＳＢ５０ルミネッセンス分光光度計を用いて測定したデータである。曲線９０はこの染料に対する発光帯であり、曲線９２は励起帯である。この２つの曲線を相対応答（任意単位の）に対してプロットする。励起帯９２は紫外領域に存在するのみならず、可視領域まで充分に延びていることを注目されたい。図８および９の比較において、このＣＭ５９０フィルムは法線方向の角度と斜めの角度で励起帯９２の光を実質的に透過することも注目されたい。図１０は、反射プローブ付きのＯｃｅａｎ  Ｏｐｔｉｃｓ  Ｍｏｄｅｌ  ＳＤ２０００分光計を用いて測定したこの実施例で使用された非蛍光橙色／赤色染料の反射率をプロットしたものである。ｙ軸は反射率を図９で使用した任意単位に比較して一定の比例の寸法によるものでない任意単位でプロットしたものである。
【００３４】
いくつかのこれらの実施態様を参照しながら、本発明を説明してきた。説明した実施態様で多くの変更を本発明の範囲から逸脱することなく行うことができることは当業者には明白であろう。このように、本発明の範囲は、本明細書に記載した好ましい構造と方法に限定されるべきでなく、特許請求の範囲の広い範囲によって限定されるべきものである。
以下に、本願発明に関連する発明について、その実施形態を列挙する。
［実施形態１］
カラーシフトフィルムと、
前記カラーシフトフィルムの後方に配置された標示層と、を含む物品であって、
前記標示層が、実質的に同一の色であると共に前記標示の前景および背景として配置された少なくとも第１および第２の着色部分を含み、前記第１の着色部分が第１の蛍光着色剤を含み、前記第２の着色部分が実質的に非蛍光性である物品。
［実施形態２］
前記第１の蛍光着色剤が発光帯を有し、前記カラーシフトフィルムが第１の角度で前記発光帯の光の透過を実質的に阻止し、第２の角度で前記発光帯の光を実質的に透過する、実施形態１に記載の物品。
［実施形態３］
第１の角度で前記カラーシフトフィルムの前面から目視される場合、第１および第２の着色部分が実質的に同一の色を有する、実施形態２に記載の物品。
［実施形態４］
実質的に澄んだ媒体を介して目視される場合、第１および第２の着色部分が実質的に同一の色を有する、実施形態１に記載の物品。
［実施形態５］
少なくとも前記第１の着色部分が前記カラーシフトフィルム上に印刷される、実施形態１に記載の物品。
［実施形態６］
少なくとも前記第２の着色部分が前記カラーシフトフィルム上に印刷される、実施形態１に記載の物品。
［実施形態７］
前記第１の着色部分もまた、前記カラーシフトフィルム上に印刷され、前記第２の着色部分が前記第１の着色部分の上に延在するように実質的に連続して印刷される、実施形態６に記載の物品。
［実施形態８］
接着剤層をさらに含む、実施形態１に記載の物品。
［実施形態９］
前記接着剤層が前記物品の基材への取り付けを可能にするように配置される、実施形態８に記載の物品。
［実施形態１０］
前記接着剤層が第１および第２の着色部分の１つを含む、実施形態８に記載の物品。
［実施形態１１］
前記前景が第１の着色部分を含み、前記背景が前記第２の着色部分を含む、実施形態１に記載の物品。
［実施形態１２］
前記背景が第１の着色部分を含み、前記前景が前記第２の着色部分を含む、実施形態１に記載の物品。
［実施形態１３］
前記カラーシフトフィルムが偏光子とミラーからなる群から選択される、実施形態１に記載の物品。
［実施形態１４］
前記標示の後方に配置された実質的に白色の拡散表面をさらに含む、実施形態１に記載の物品。
［実施形態１５］
前記第１の蛍光着色剤が励起帯を有し、前記カラーシフトフィルムが第１の角度で前記励起帯の光の透過を実質的に阻止し、第２の角度で前記励起帯の光を実質的に透過する、実施形態１に記載の物品。
［実施形態１６］
カラーシフトフィルムのエンボス領域、ホログラフィ要素、および印刷された情報からなる群から選択される少なくとも１つの要素から形成される追加の標示をさらに含む、実施形態１に記載の物品。
【図面の簡単な説明】
【００３５】
【図１】カラーシフトフィルムと、標示を形成するフィルムの後方に配置された第１および第２の着色部分と、を有する物品であって、基材に接着されている物品の断面図である。
【図２】１つの視角からの図１の物品の正面図である。
【図３】別の視角からの図１の物品の正面図である。
【図４】第１および第２の着色部分、ならびにこのカラーシフトフィルムの１つの視角での分光特性を図示する理想化され、簡略化された複合グラフである。
【図５】第１および第２の着色部分、ならびにこのカラーシフトフィルムの別の視角での分光特性を図示する理想化され、簡略化された複合グラフである。
【図６】別の実施態様に対して、第１および第２の着色部分、ならびにこのカラーシフトフィルムの１つの視角での分光特性を図示する理想化され、簡略化された複合グラフである。
【図７】さらに別の実施態様に対して、第１および第２の着色部分、ならびにこのカラーシフトフィルムの１つの視角での分光特性を図示する理想化され、簡略化された複合グラフである。
【図８】法線方向（０度）入射および６０度入射での特定のカラーシフトフィルムの測定された分光透過率のグラフである。
【図９】特定の橙色蛍光染料の測定された分光特性のグラフである。
【図１０】特定の緑色非蛍光染料の測定された分光特性のグラフである。
【図１】
0004643123.tif 000002
【図２】
0004643123.tif 000003
【図３】
0004643123.tif 000004
【図４】
0004643123.tif 000005
【図５】
0004643123.tif 000006
【図６】
0004643123.tif 000007
【図７】
0004643123.tif 000008
【図８】
0004643123.tif 000009
【図９】
0004643123.tif 000010
【図１０】
0004643123.tif 000011